(57)【要約】【課題】蓋を容易に開放することができないレフィル容器を有する二重容器を提案する。【解決手段】本発明に係る二重容器１００は、レフィル容器２０と蓋体３０と本体容器１０とを備え、レフィル容器２０は、周壁２１の外周面から突出する係合突起２６と、嵌合爪２３ａを有する係合筒部２３とを有し、蓋体３０は、側壁３１に、外周側及び内周側に突出するフランジ部３３が設けられ、フランジ部３３の内周側への突出により蓋体３０は係合突起２６に係合され、本体容器１０は、蓋体押圧部１２と、外周壁１１の下部から内周側に突出する突出リング１３ａとを有し、嵌合爪２３ａが突出リング１３ａに係合し、蓋体押圧部１２がフランジ部３３を上方に押圧することで蓋体３０と係合突起２６との係合が解除されることを特徴とする。【選択図】図２
2018140833.tif 000002
【特許請求の範囲】
【請求項１】
筒状の周壁と該周壁の下端を閉塞する底壁を有し内容物を収容するレフィル容器と、該レフィル容器の上部開口を閉塞する蓋体と、前記周壁を径方向外側から覆う外周壁を有し前記レフィル容器を着脱交換可能に収容する本体容器と
を備える二重容器であって、
前記レフィル容器は、前記周壁の外周面から径方向外側に突出する係合突起と、前記底壁から下方に延び、その外周面に嵌合爪を有する係合筒部とを有し、
前記蓋体は、
天壁と、該天壁の外周端から下方に垂下する側壁とを有し、
該側壁の下端部には、径方向外側に突出すると共に径方向外側よりも小さく径方向内側に突出するフランジ部が設けられ、該フランジ部の径方向内側への突出により、前記蓋体は、前記係合突起にアンダーカット係合可能であり、
前記本体容器は、前記外周壁の上端から上方に突出する蓋体押圧部と、前記外周壁の下部から径方向内側に突出する突出リングとを有し、前記レフィル容器が前記本体容器に収容されることで、前記嵌合爪が前記突出リングにアンダーカット係合し、
前記本体容器に、前記蓋体が装着された前記レフィル容器が収容されると、前記蓋体押圧部が前記フランジ部の外周側を上方に押圧することで前記フランジ部が傾動し、前記蓋体と前記係合突起とのアンダーカット係合が解除されることを特徴とする二重容器。
【請求項２】
前記天壁の上面には、前記係合筒部の半径位置に対応して設けられた押圧部が上方に突出しており、該押圧部又は前記係合筒部の少なくともいずれか一方には、径方向外側に向けて上方に傾斜する傾斜面が設けられており、
前記レフィル容器を収容した前記本体容器が上方から前記蓋体に押し付けられると、前記押圧部からの押圧力により前記係合筒部が径方向内側に弾性変形して前記嵌合爪と前記突出リングとの係合が解除される、請求項１に記載の二重容器。
【請求項３】
前記係合突起の上方には本体蓋に係合可能な係合部が設けられており、該係合部の外径は前記係合突起の外径よりも小さい、請求項１又は２に記載の二重容器。
【請求項４】
前記押圧部は、径方向外側に向かって上方に傾斜する傾斜面を有する、請求項１乃至３のいずれか一項に記載の二重容器。
【請求項５】
前記蓋体押圧部は、径方向外側に向かって上方に傾斜する傾斜面を有する、請求項１乃至４のいずれか一項に記載の二重容器。
【発明の詳細な説明】
【技術分野】
【０００１】
本発明は、内容物を収容したレフィル容器と、レフィル容器を着脱交換可能に収容する本体容器とを有する二重容器に関するものである。
【背景技術】
【０００２】
省資源化の観点から、内容物が充填されるレフィル容器を本体容器に着脱可能に収容することで、本体容器を繰り返し用いることが可能な詰替容器が提案されている。例えば、特許文献１には、合成樹脂層と酸素バリア層とを積層した積層フィルムを絞り成形して底部と側壁部とフランジ部とを一体的に形成してガスバリア性を高めた詰替容器用レフィル容器が開示されている。
【先行技術文献】
【特許文献】
【０００３】
【特許文献１】特開２０１３−１６６５６３号公報
【発明の概要】
【発明が解決しようとする課題】
【０００４】
このような内容物を補充するレフィル容器は、流通段階において通常は紙箱等に収納されているが、これらの紙箱等を用いずにレフィル容器を流通させることができれば、更なる省資源化に貢献し得る。
【０００５】
しかし、特許文献１に記載のレフィル容器では、レフィル容器本体の上部開口に被覆シール部を剥離可能に被覆してレフィル容器の収容物を密閉する構成をとっている。従って、レフィル容器の流通段階において被覆シール部が意図的に又は偶発的に剥離されると、商品価値を損なってしまう。
【０００６】
本発明は、このような問題点を解決することを課題とするものであり、その目的は、蓋を容易に開放することができないレフィル容器を有する二重容器を提案することである。
【課題を解決するための手段】
【０００７】
本発明は、筒状の周壁と該周壁の下端を閉塞する底壁を有し内容物を収容するレフィル容器と、該レフィル容器の上部開口を閉塞する蓋体と、前記周壁を径方向外側から覆う外周壁を有し前記レフィル容器を着脱交換可能に収容する本体容器と
を備える二重容器であって、
前記レフィル容器は、前記周壁の外周面から径方向外側に突出する係合突起と、前記底壁から下方に延び、その外周面に嵌合爪を有する係合筒部とを有し、
前記蓋体は、
天壁と、該天壁の外周端から下方に垂下する側壁とを有し、
該側壁の下端部には、径方向外側に突出すると共に径方向外側よりも小さく径方向内側に突出するフランジ部が設けられ、該フランジ部の径方向内側への突出により、前記蓋体は、前記係合突起にアンダーカット係合可能であり、
前記本体容器は、前記外周壁の上端から上方に突出する蓋体押圧部と、前記外周壁の下部から径方向内側に突出する突出リングとを有し、前記レフィル容器が前記本体容器に収容されることで、前記嵌合爪が前記突出リングにアンダーカット係合し、
前記本体容器に、前記蓋体が装着された前記レフィル容器が収容されると、前記蓋体押圧部が前記フランジ部の外周側を上方に押圧することで前記フランジ部が傾動し、前記蓋体と前記係合突起とのアンダーカット係合が解除されることを特徴とする二重容器である。
【０００８】
また、前記天壁の上面には、前記係合筒部の半径位置に対応して設けられた押圧部が上方に突出しており、該押圧部又は前記係合筒部の少なくともいずれか一方には、径方向外側に向けて上方に傾斜する傾斜面が設けられており、
前記レフィル容器を収容した前記本体容器が上方から前記蓋体に押し付けられると、前記押圧部からの押圧力により前記係合筒部が径方向内側に弾性変形して前記嵌合爪と前記突出リングとの係合が解除されることが好ましい。
【０００９】
また、前記係合突起の上方には本体蓋に係合可能な係合部が設けられており、該係合部の外径は前記係合突起の外径よりも小さいことが好ましい。
【００１０】
また、前記押圧部は、径方向外側に向かって上方に傾斜する傾斜面を有することが好ましい。
【００１１】
また、前記蓋体押圧部は、径方向外側に向かって上方に傾斜する傾斜面を有することが好ましい。
【発明の効果】
【００１２】
本発明によれば、蓋を容易に開放することができないレフィル容器を有する二重容器を提案することができる。
【図面の簡単な説明】
【００１３】
【図１】本発明の一実施形態に係る二重容器を構成するレフィル容器、及び蓋体の正面断面図である。
【図２】図１のレフィル容器を、本体容器に収容した状態を示す正面断面図である。
【図３】本発明の一実施形態に係る二重容器の使用時の状態を示す正面半断面図である。
【図４】本発明の一実施形態に係る二重容器からレフィル容器を取り外す過程を示す正面断面図である。
【発明を実施するための形態】
【００１４】
以下、図面を参照して、本発明をより具体的に説明する。
【００１５】
図１は、本発明の一実施形態に係る二重容器１００を構成するレフィル容器２０、及び蓋体３０の正面断面図である。なお、本実施形態に係る二重容器１００は、レフィル容器２０及び蓋体３０の他に、本体容器１０及び本体蓋４０を有するが、これらについては図３等を用いて後ほど詳述する。本明細書、特許請求の範囲、要約書および図面では、蓋体３０が位置する側を上方（図１における上側）とし、レフィル容器２０の底壁２２が位置する側を下方（図１における下側）とする。また、径方向外側とは、図１におけるレフィル容器２０の中心軸線Ｏを通り中心軸線Ｏに垂直な直線に沿って外側に向かう方向であり、径方向内側とは、当該直線に沿って中心軸線Ｏに向かう方向を指すものとする。
【００１６】
レフィル容器２０は、筒状の周壁２１と、周壁２１の下端を閉塞する底壁２２を有し、収容空間Ｓ内に内容物を収容する。周壁２１の外周面上部における雄ねじ部２７の直下には、蓋体３０をアンダーカット係合によりレフィル容器２０に固定するための係合突起２６が径方向外側に向けて突出して設けられている。周壁２１の上端は、上部開口２１ａを構成し、上方から蓋体３０で覆われることにより閉塞される。周壁２１の下端には、底壁２２を越えて更に下方へと延びる底部周壁２４が配設されており、底部周壁２４の内周面には、周方向に一定間隔でリブ２４ａが設けられている。また、底部周壁２４の径方向内側において底壁２２から下方に向かって係合筒部２３が垂下している。そして、係合筒部２３の下端部における外周面には、嵌合爪２３ａが径方向外側に向けて突出している。
【００１７】
レフィル容器２０の上部開口２１ａには、図１に示すように、蓋体３０がアンダーカット係合により取り付けられている。蓋体３０は、上部開口２１ａを覆う天壁３５と天壁３５の外周端から下方に垂下する側壁３１とを有する。天壁３５の下面からはシール壁３６が垂下し、レフィル容器２０の周壁２１の内周面に嵌合している。側壁３１の下端部３２には、径方向外側且つ下方に向かって延びるフランジ部３３が設けられている。フランジ部３３は、その大部分が側壁３１から径方向外側方向に延びる外フランジ部３３ａとして構成されるが、一部は側壁３１から径方向内側方向に延びる内フランジ部３３ｂを構成している。本実施形態では、図１に示すように、内フランジ部３３ｂが前述の係合突起２６にアンダーカット係合することにより蓋体３０をレフィル容器２０に係合固定することができる。
【００１８】
レフィル容器２０は、図１に示すように、収容空間Ｓ内に内容物を収容した状態で上部開口２１ａを蓋体３０で閉塞され、出荷及び販売される。そして、蓋体３０は、レフィル容器２０の上部開口２１ａを覆った状態でアンダーカット係合により固定されている。従って、図１のレフィル容器２０に対して何ら包装を施すことなく流通過程に置いても、アンダーカット係合を容易に解除することはできないため、意図的に又は偶発的に蓋体３０が開けられてしまう可能性を低減することができる。
【００１９】
図２は、図１のレフィル容器２０を本体容器１０に収容した状態を示す正面断面図である。本体容器１０は、レフィル容器２０の周壁２１を径方向外側から覆う外周壁１１と、外周壁１１の下端に連なり径方向内側方向へ延びる本体底壁１４と、本体底壁１４の内周端から上方へと延びる底部筒壁１３とを有する。そして、底部筒壁１３の内周面から径方向内側に向けて突出リング１３ａが設けられている。一方、外周壁１１の上端部における外周寄りには、図２の状態で蓋体３０のフランジ部３３を上方へ押圧可能な蓋体押圧部１２が設けられている。蓋体押圧部１２は、径方向外側に向かって上方に傾斜する傾斜面１２ａを有している。
【００２０】
本実施形態において、蓋体３０の側壁３１の下端部３２は、フランジ部３３と比較して薄肉に形成されている。これによって、フランジ部３３は、外力が加わると下端部３２が弾性変形することによって傾動するように構成されている。従って、係合突起２６の下面が外周壁１１の上端部に当接するまで図２の白抜き矢印に沿ってレフィル容器２０を本体容器１０内に収容した状態において、フランジ部３３は、蓋体押圧部１２によって上方に押圧され、傾斜面１２ａに倣って径方向外側に向かって上方に傾斜するように方向付けされる。このようなフランジ部３３の傾動により、内フランジ部３３ｂは下端部３２周りに回動して径方向外側へと移動する。これによって、内フランジ部３３ｂと係合突起２６との係合が解除されるため、利用者は、蓋体３０を容易に図２の上方へと持ち上げて取り外すことができる。
【００２１】
レフィル容器２０を本体容器１０に収容した図２の状態において、底部周壁２４の下端部が外周壁１１と底部筒壁１３との間の空間に挿入される。そして、底部周壁２４に設けられたリブ２４ａが底部筒壁１３の回り止めリブ１３ｂの間に入り込むことにより、レフィル容器２０は本体容器１０に対して周方向に回転不能状態で固定される。また、レフィル容器２０の底壁２２から垂下する係合筒部２３の嵌合爪２３ａが突出リング１３ａに対してアンダーカット係合することでレフィル容器２０は上方に引き抜き不能となる。
【００２２】
図３は、本発明の一実施形態に係る二重容器１００の使用時の状態を示す正面半断面図である。利用者は、図２においてレフィル容器２０との係合が外れた蓋体３０を取り除いた後、図３に示す本体蓋４０を使用する。本体蓋４０は、天壁４３と、天壁４３の外周端から垂下する側壁４１とを有する。本体蓋４０の取り付けは、側壁４１の内周面に設けられている雌ねじ部４１ａをレフィル容器２０の周壁２１上部の外周面に配設されている雄ねじ部２７にねじ係合させることにより行う。なお、本実施形態では、雄ねじ部２７の外径が係合突起２６の外径より小さくなるようにして、蓋体３０の取り外し時に内フランジ部３３ｂが雄ねじ部２７に強く当たらないように構成している。
【００２３】
図４は、本発明の一実施形態に係る二重容器１００からレフィル容器２０を取り外す工程を示す正面断面図である。利用者は、レフィル容器２０の収容空間Ｓ内の内容物を使い切ると、空になったレフィル容器２０を本体容器１０から取り外す必要がある。利用者は、図４に白抜き矢印で示すように、蓋体３０付きの未使用のレフィル容器２０に対して、上方から使用済みのレフィル容器２０を収容した本体容器１０を押し付ける。図４に示すように、蓋体３０の天壁３５には、上方に向けて突出する押圧部３７が設けられている。押圧部３７は、径方向外側に向かって上方に傾斜する傾斜面３７ａと、上下方向に延びる支持部３７ｂとが上端において連結された構成を有することによって半径方向の押圧力に対して弾性変形しづらく構成されている。そして、押圧部３７の傾斜面３７ａにより本体容器１０内に収容されたレフィル容器２０の係合筒部２３を下方から押圧することにより、係合筒部２３は、上方及び径方向内側への押圧力をうけて図４に示すように径方向内側へと弾性変形する。これによって、嵌合爪２３ａと突出リング１３ａとの係合が解除されるため、太線矢印で示すように、上方に向けてレフィル容器２０を本体容器１０から容易に取り出すことができる。
【００２４】
利用者は、内容物を使用済みのレフィル容器２０を本体容器１０から取り出した後、図２に示すように、これまで使用してきた本体容器１０内に内容物が充填された新たなレフィル容器２０を収容する。これによって、同一の本体容器１０及び本体蓋４０を繰り返し使用しつつ、内容物を補充することができる。
【００２５】
なお、本実施形態では、図４に示すように、押圧部３７に傾斜面３７ａが設けられている他、係合筒部２３についても下端部に嵌合爪２３ａが設けられることにより傾斜面２３ｂが形成されている。そして径方向外側に向かって上方に傾斜する傾斜面３７ａ，２３ｂ同士が当接することにより、係合筒部２３は上方及び径方向内側への押圧力をうけて径方向内側へと弾性変形する。しかし、この態様には限定されず、例えば、傾斜面を有さない押圧部３７が係合筒部２３の傾斜面２３ｂに当接することによって係合筒部２３を径方向内側へと弾性変形させて嵌合爪２３ａと突出リング１３ａとの係合を解除させるように構成してもよい。また、傾斜面３７ａが、傾斜面を有しない係合筒部２３を上方及び径方向内側へと押圧して径方向内側に弾性変形させるようにしてもよい。
【００２６】
また、本実施形態では、本体蓋４０とレフィル容器２０とがねじ係合により固定されるように構成したが、この態様には限定されない。本体蓋４０についても打栓力が小さいアンダーカット係合によって固定されるように構成してもよい。その場合、本体蓋４０と係合する突起は、蓋体３０固定用の係合突起２６よりも突出量が小さくなるようにして蓋体３０の取り外しの妨げにならないように構成することが好ましい。
【００２７】
また、本実施形態では、蓋体押圧部１２が傾斜面１２ａを有するように構成したが、この態様には限定されない。蓋体押圧部１２は、フランジ部３３の径方向外側寄りの部分を上方に押圧できればよく、上方に突出する突起等であってもよい。
【００２８】
また、本実施形態では、図１等に示すように、フランジ部３３は、径方向外側に向かって下方に傾斜するように構成したが、この態様には限定されない。フランジ部３３は、例えば径方向外側に向かって水平に延びるように構成されていてもよい。フランジ部３３が蓋体押圧部１２から押圧されることにより、下端部３２周りに一定の傾動角を確保でき、内フランジ部３３ｂと係合突起２６とを係合状態から非係合状態へと遷移させることができればよい。
【００２９】
以上述べたように、本実施形態においては、蓋体３０をアンダーカット係合によりレフィル容器２０に固定すると共に、蓋体３０付きのレフィル容器２０を本体容器１０に収容すると、蓋体押圧部１２が蓋体３０のフランジ部３３を傾動させることにより蓋体３０とレフィル容器２０との係合が容易に解除されるように構成した。これによって、レフィル容器２０を包装することなく流通段階に置いても、意図的に又は偶発的に蓋体３０が開けられてしまう可能性を低減させることができる。一方、レフィル容器２０を本体容器１０に収容するという使用段階における通常の作業により、蓋体３０をレフィル容器２０から容易に取り外すことができる。
【００３０】
また、本実施形態では、レフィル容器２０の底壁２２から垂下する係合筒部２３に設けられた嵌合爪２３ａが本体容器１０の底部に配設した突出リング１３ａにアンダーカット係合することにより、使用時にレフィル容器２０が本体容器１０から容易に外れないようにした。その一方で、レフィル容器２０内の内容物を使用した後は、図４に示すように、使用済みのレフィル容器２０を収容した本体容器１０を、内容物が充填された新たなレフィル容器２０の蓋体３０に対して上方から押し付けることにより、蓋体３０の上面に設けた押圧部３７が係合筒部２３を径方向内側に弾性変形させるようにした。これによって、嵌合爪２３ａと突出リング１３ａとの係合が容易に外れるため、新たな器具等を用いることなく使用済みのレフィル容器２０を本体容器１０から容易に取り外すことができる。
【００３１】
また、本実施形態では、係合突起２６の上方に本体蓋４０と係合可能な雄ねじ部２７（係合部）を設け、雄ねじ部２７の外径が係合突起２６の外径よりも小さくなるように構成した。これによって、レフィル容器２０に対して蓋体３０に加えて本体蓋４０を着脱可能にすると共に、蓋体３０を取り外す際に雄ねじ部２７が妨げになりにくくすることができる。
【００３２】
また、本実施形態では、蓋体３０の上面に設けた押圧部３７は径方向外側に向かって上方に傾斜する傾斜面３７ａを有するように構成した。これによって、押圧部３７からの押圧力により係合筒部２３を効率よく径方向内側へと変形させて嵌合爪２３ａと突出リング１３ａとの係合を解除することができる。
【００３３】
また、本実施形態では、蓋体押圧部１２は、径方向外側に向かって上方に傾斜する傾斜面１２ａを有するように構成した。これによって、フランジ部３３を傾斜面１２ａに倣うように傾動させることができるので、フランジ部３３をより所望の角度で傾動させて、内フランジ部３３ｂと係合突起２６との係合を確実に解除することができる。
【００３４】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【符号の説明】
【００３５】
１０      本体容器
１１      外周壁
１２      蓋体押圧部
１２ａ    傾斜面
１３      底部筒壁
１３ａ    突出リング
１３ｂ    回り止めリブ
１４      本体底壁
２０      レフィル容器
２１      周壁
２１ａ    上部開口
２２      底壁
２３      係合筒部
２３ａ    嵌合爪
２３ｂ    傾斜面
２４      底部周壁
２４ａ    リブ
２６      係合突起
２７      雄ねじ部（係合部）
３０      蓋体
３１      側壁
３２      下端部
３３      フランジ部
３３ａ    外フランジ部
３３ｂ    内フランジ部
３５      天壁
３７      押圧部
３７ａ    傾斜面
３７ｂ    支持部
４０      本体蓋
４１      側壁
４１ａ    雌ねじ部
４３      天壁
１００    二重容器
Ｏ        中心軸線
Ｓ        収容空間
【図１】
2018140833.tif 000003
【図２】
2018140833.tif 000004
【図３】
2018140833.tif 000005
【図４】
2018140833.tif 000006